(57)【要約】【課題】カメラのズ−ムレンズに有効なレンズフ−ドを提供すること。【解決手段】ズ−ムレンズ鏡胴の先端周囲部に着脱自在に取付けるフ−ドベ−ス２１の上下、左右に支軸突片３０〜３３を設け、これら支軸突片３０〜３３とフ−ド板２２〜２５の支軸部２２ｂ〜２５ｂとを支軸２６〜２９によって軸支して各々のフ−ド板２２〜２５をフ−ドベ−ス２１に旋回自在に取付け、さらに、各フ−ド板２２〜２５に設けたカム連動突片２２ｄ〜２５ｄをズ−ム操作環のフ−ド用カムによって押し回し、復動のばね勢力を与えた各フ−ド板２２〜２５を開く方向に旋回動させ、ズ−ム操作環の回転によるズ−ミングに合せたフ−ド形状となる構成となっている。【選択図】　　　　図２
2004109808.tif 000002
【特許請求の範囲】
【請求項１】
ズ−ム操作環やカム枠などの回転部材を回転させてレンズの焦点距離を変えるズ−ムレンズ鏡胴を備えたカメラにおいて、
ズ−ムレンズ鏡胴の先端周囲部に着脱自在に取付けるフ−ドベ−スと、
光軸方向に直交する向きの軸支部によって前記フ−ドベ−スに旋回自在に軸支したフ−ド板と、
前記回転部材に設けたフ−ド用カムと、このフ−ド用カムに連動させる前記フ−ド板に設けた連動部とからなるフ−ド駆動機構とより構成し、
前記フ−ド板を前記回転部材の回転にしたがって旋回動させ、ズ−ミングされたレンズ位置で画角外となる光をカットするようにしたことを特徴とするカメラのレンズフ−ド。
【請求項２】
請求項１に記載したレンズフ−ドにおいて、
フ−ドベ−スには、その上下、左右の各々の部所に各々のフ−ド板を取付けると共に、各フ−ド板には前記フ−ド用カムに連動させる連動部を設けたことを特徴とするカメラのレンズフ−ド。
【発明の詳細な説明】
【０００１】
【発明の属する技術分野】
この発明は、フイルムカメラ、電子カメラ、ビデオカメラなどのズ−ムレンズ鏡胴に備えるレンズフ−ドに関する。
【０００２】
【従来の技術】
カメラには、レンズの画角以外からの有害光線を防止するためのレンズフ−ドが用意されている。
このレンズフ−ドは、レンズの画角や焦点距離によって形や長さが異なるので、使用するレンズに合った専用のものが用いられる。
【０００３】
しかし、ズ−ムレンズは画角が各々のズ−ミング位置で変わるために上記したような単焦点専用のレンズフ−ドは使用することができない。
したがって、ズ−ムレンズに適用できるレンズフ−ドについては実用化されたものが数少ない。
【０００４】
この種のレンズフ−ドの一例としては、ズ−ミングするカム枠と一体的に回転する第２のカム枠を備え、この第２のカム枠によってフ−ド筒を光軸方向に進退させる構成のものが提案されている。
【０００５】
【発明が解決しようとする課題】
フ−ド筒をズ−ミングに合せて光軸方向に進退させる上記したようなレンズフ−ドは、第２のカム枠と共にレンズ鏡胴に一体的に組み込まれることから、レンズ鏡胴の構成が複雑化し、また、レンズ鏡胴のロ−コスト化には適さない。
【０００６】
また、フ−ド筒がズ−ミングによって光軸方向に進出し、レンズ鏡胴の先端から突出することから、鏡胴長が増大すると言う問題がある。
【０００７】
本発明は上記した実情にかんがみ、フ−ド板をズ−ムレンズ鏡胴先端部に着脱自在に取付け可能にすること、また、フ−ド板をズ−ムレンズ鏡胴先端部でズ−ミングに合せて起伏動させ、光軸方向に進退しないようにしたカメラのレンズフ−ドを提供することを目的とする。
【０００８】
【課題を解決するための手段】
上記した目的を達成するため、本発明では、ズ−ム操作環やカム枠などの回転部材を回転させてレンズの焦点距離を変えるズ−ムレンズ鏡胴を備えたカメラにおいて、ズ−ムレンズ鏡胴の先端周囲部に着脱自在に取付けるフ−ドベ−スと、光軸方向に直交する向きの軸支部によって前記フ−ドベ−スに旋回自在に軸支したフ−ド板と、前記回転部材に設けたフ−ド用カムと、このフ−ド用カムに連動させる前記フ−ド板に設けた連動部とからなるフ−ド駆動機構とより構成し、前記フ−ド板を前記回転部材の回転にしたがって旋回動させ、ズ−ミングされたレンズ位置で画角外となる光をカットするようにしたことを特徴とするカメラのレンズフ−ドを提案する。
【０００９】
このように構成したレンズフ−ドは、ズ−ミング操作にしたがって回転部材が回転すると、そのフ−ド用カムと連動部からなるフ−ド駆動機構が動作し、フ−ド板をズ−ミングにしたがって旋回動させる。
したがって、フ−ド板が光軸方向に直交する向きの支軸部を支点に旋回し、ズ−ミング移動したレンズの画角外となる光を遮光する位置に移る。
【００１０】
すなわち、フ−ド板が光軸方向となる位置と、鏡胴周囲方向となる所定位置との間で旋回し、レンズ各々のズ−ミング移動位置に合った旋回位置に規制されるので、光軸方向には進退しないから、鏡胴長がほとんど増大しない。
【００１１】
また、フ−ド板は複数個とすることができる。
例えば、フ−ドベ−スの上下、左右の各部所に４つのフ−ド板を設け、各々のフ−ド板をカム枠のフ−ド用カムにしたがって開く方向に、また、閉じる方向に旋回させるように構成することができる。
【００１２】
上記のようなレンズフ−ドは、レンズ鏡胴とは別体構成となっているので、ズ−ムレンズ鏡胴が複雑となったり、コストアップしたりするようなことがない。
【００１３】
【発明の実施の形態】
次に、本発明の一実施形態について図面に沿って説明する。
図１は本発明に係るレンズフ−ド２０を装着したカメラ１０の斜視図である。
【００１４】
このカメラ１０は、ズ−ムレンズ鏡胴１１を備え、このズ−ムレンズ鏡胴１１がズ−ム操作環１２の回動操作にしたがって焦点距離を変えるレンズを備えたインナ−ズ−ムタイプのズ−ムレンズ構成となっている。
【００１５】
また、レンズフ−ド２０は、フ−ドベ−ス２１の上下、左右の部所に軸着した４つのフ−ド板２２、２３、２４、２５とから構成してある。
そして、このレンズフ−ド２０はフ−ドベ−ス２１をズ−ムレンズ鏡胴１１の先端周囲部にバヨネット機構などによって取付けて装備するようになっている。
【００１６】
図２はレンズフ−ド２０の正面図を示す。
図示する如く、各々のフ−ド板２２〜２５は周囲方向断面を円弧形の板状に形成してあり、各フ−ド板２２〜２５が閉まる方向に旋回動したとき、図示するように円筒形のレンズフ−ドを形成する。
【００１７】
また、各フ−ド板２２〜２５には後面壁２２ａ、２３ａ、２４ａ、２５ａが一体形成してあり、これらの後面壁各々の中程には両側に切欠空間を設けた支軸部２２ｂ、２３ｂ、２４ｂ、２５ｂが形成してある。
なお、支軸部２２ｂ、２３ｂ、２４ｂ、２５ｂ各々には支軸２６〜２９の軸孔が設けてある。
【００１８】
一方、四辺形に形成したフ−ドベ−ス２１の上下辺部と左右辺部とにはフ−ド板２２〜２５を旋回自在に軸支する支軸突片３０〜３３が設けてある。
【００１９】
すなわち、支軸突片３０は軸孔を有する一対の突状片であって、この支軸突片３０をフ−ド２２に設けた支軸部２２ｂの両側切欠空間に突入させてある。
そして、これら支軸突片３０の軸孔と支軸部２２ｂの軸孔とに連通させた支軸２６を後面壁部２２ａの一部に嵌着させるようにしてフ−ド板２２を旋回自在に保持している。
なお、支軸２６の両端部を後面壁部２２ａに固着させる手段の一例としては、後面壁部２２ａに形成した凹溝に支軸２６を嵌着する。また、このように嵌着した支軸２６を接着剤で固着してもよい。
【００２０】
その他のフ−ド板２３〜２５についても上記同様にして保持させてある。
つまり、フ−ド板２３の支軸部２３ｂが支軸突片３１と支軸２７により、フ−ド板２４の支軸部２４ｂが支軸突片３２と支軸２８により、フ−ド板２５の支軸部２５ｂが支軸突片３３と支軸２９により各々軸支して各フ−ド板２３〜２５を旋回自在に保持している。
【００２１】
さらに、上記したフ−ド板２２〜２５の支軸部２２ｂ、２３ｂ、２４ｂ、２５ｂの各々の背後部にはカム連動突片２２ｄ、２３ｄ、２４ｄ、２５ｄを設け、これらカム連動突片２２ｄ〜２５ｄがズ−ム操作環１２のカムによって押し回わされるとにより、各々のフ−ド板２２〜２５を開く方向に旋回動させる構成となっている。
【００２２】
なお、フ−ド板２２〜２５の支軸部２２ｂ〜２５ｂ各々の側部には、一端部を各フ−ド板２２〜２５に、他端部を各々の支軸部２２ｂ〜２５ｂに係架させたコイルばね３４を設け、これらのコイルばね３４によって各フ−ド板２２〜２５に閉じ方向の旋回勢力を与えるようになっている。
【００２３】
上記のように構成したレンズフ−ド２０は、フ−ドベ−ス２１の内孔３５縁部にバヨネット爪３６を設け、このバヨネット爪３６によってズ−ムレンズ鏡胴１１の先端部に取付ける。
なお、バヨネット爪３６による取付けは公知構成のバヨネット機構としてあるが、この取付けについてはスクリュ−（ねじ止め）、嵌着などの構成とすることができる。
【００２４】
図３はズ−ムレンズ鏡胴１１のズ−ム操作環１２を示す斜視図である。
図示するように、このズ−ム操作環１２の先端面には円面に沿った同形状のフ−ド用カム１２ａ、１２ｂ、１２ｃ、１２ｄが形成してある。
【００２５】
これらのフ−ド用カム１２ａ〜１２ｄには、フ−ド板２２のカム連動突片２２ｄがカム１２ａに当接し、フ−ド板２３のカム連動突片２３ｄがカム１２ｂに当接し、フ−ド板２４のカム連動突片２４ｄがカム１２ｃに当接し、フ−ド板２５のカム連動突片２５ｄがカム１２ｄに当接するようにしてある。
【００２６】
図４はレンズフ−ド２０をズ−ムレンズ鏡胴１１に取付けた状態を示す部分的な断面図である。
なお、この図面ではフ−ド板２２とズ−ム操作環１２のフ−ド用カム１２ａについては示しているが、他のフ−ド板２３〜２５とフ−ド用カム１２ｂ〜１２ｄについても同様の取付け構成となっている。
また、フ−ド板２２とその支軸部２２ｂについては図２上のＡ−Ａ線に沿った断面図となっている。
【００２７】
上記のように構成したレンズフ−ド２０は、ズ−ム操作環１２を回転させると、フ−ド板２２のカム連動突片２２ｄがカム１２ａに押し回されて開く方向に旋回動し、また、コイルばね３４のばね勢力で閉じ方向に旋回する。
【００２８】
具体的には、ズ−ム操作環１２をＴｅｌｅ（望遠）の位置に回転させると、カム連動突片２２ｄに対してカム１２ａのカム面が離れる方向に移動するため、フ−ド板２２がコイルばね３４のばね勢力を受けて閉じ方向に旋回動し、図４に示すＴｅｌｅのフ−ド状態となる。なお、図４に示した参照符号３７は鏡胴枠である。（図５に示した実線図示のカム連動突片２２ｄとカム１２ａ参照）
【００２９】
ズ−ム操作環１２をＷｉｄｅ（広角）の位置に回転させた場合は、カム１２ａがカム連動突片２２ｄを反時計方向（図４において）に押し回しながら移動することから、フ−ド板２２がコイルばね３４のばね勢力に抗して開く方向に旋回動し、図６に示すＷｉｄｅのフ−ド状態となる。（図５に示した二点鎖線図示のカム連動突片２２ｄとカム１２ａ参照）
【００３０】
なお、フ−ド板２２の開閉動作について説明したが、他のフ−ド板２３〜２５は同様の開閉動作となる。
したがって、各フ−ド板２２〜２５が閉じ方向に旋回動すると、図１に示した円筒状のフ−ド形態となり、Ｔｅｌｅズ−ムのフ−ドとなる。
上記と反対に、各フ−ド板２２〜２５が開く方向に旋回動すると、フ−ド板２２〜２５の各々が図１に示す状態からレンズ鏡胴の周囲方向に旋回動し、各フ−ド板２２〜２５が開いたフ−ド状態となり、Ｗｉｄｅのフ−ドとなる。
【００３１】
上記より分かるように、ズ−ム操作環１２のフ−ド用カム１２ａ〜１２ｄをズ−ミングによって変えるレンズの画角に対応させて設定することにより、ズ−ム操作環１２の回転による各々のズ−ミング位置に合ったフ−ド板２２〜２５の開閉状態に設定することができる。
【００３２】
以上、本発明の一実施形態について説明したが、フ−ド板２２〜２５の数は任意に増減することができる。この場合、フ−ド板２２〜２５の増減に応じてズ−ム操作環１２のフ−ド用カム１２ａ〜１２ｄのカム数を変えるように構成する。
また、上記の実施形態では、ズ−ム操作環１２にフ−ド用カムを設けたが、その他に、レンズを移動させてズ−ミングするカム枠或いは、ズ−ム操作環又は上記カム枠に連動する回転枠などに上記同様のフ−ド用カムを設けるようにしてもよい。
【００３３】
なお、上記実施形態では、対物レンズ（前玉レンズ）を移動させないインナ−ズ−ムタイプのズ−ムレンズ鏡胴１１について説明したが、ズ−ミングによって対物レンズが移動するズ−ムタイプのレンズ鏡胴については、ズ−ム操作環やズ−ム用カム枠の回転をレンズフ−ド２０に伝達するフ−ドカムリングを備える構成とする。
【００３４】
【発明の効果】
上記した通り、本発明によれば、ズ−ムレンズ用のレンズフ−ドを構成簡単にして実現することができる。
そして、特にこのレンズフ−ドは、ズ−ムレンズ鏡胴とは別体となっていることから、レンズフ−ドによってレンズ鏡胴が複雑な構成となったり、コストアップしたりすることがない上、フ−ド板を旋回動させる構成としたので、鏡胴長が増大することがない。
【図面の簡単な説明】
【図１】ズ−ムレンズ鏡胴に本発明に係るレンズフ−ドを装着した状態を示すカメラの斜視図である。
【図２】上記したレンズフ−ドの正面図である。
【図３】上記ズ−ムレンズ鏡胴に備えるズ−ム操作環を示す斜視図である。
【図４】上記したレンズフ−ドのＴｅｌｅのフ−ド状態を示す部分断面図である。
【図５】上記したレンズフ−ドの動作説明図である。
【図６】上記したレンズフ−ドのＷｉｄｅのフ−ド状態を示す部分断面図である。
【符号の説明】
１０　カメラ
１１　ズ−ムレンズ鏡胴
１２　ズ−ム操作環
１２ａ〜１２ｄ　フ−ド用カム
２０　レンズフ−ド
２１　フ−ドベ−ス
２２〜２５　フ−ド板
２２ｂ〜２５ｂ　支軸部
２２ｄ〜２５ｄ　カム連動突片
３４　コイルばね
【図１】
2004109808.tif 000003
【図２】
2004109808.tif 000004
【図３】
2004109808.tif 000005
【図４】
2004109808.tif 000006
【図５】
2004109808.tif 000007
【図６】
2004109808.tif 000008